(57)【要約】【課題】本発明は、より高い妨害耐性と受信感度の両立を実現する受信装置及び受信方法を提供することを主たる目的とする。【解決手段】本発明に係る受信装置は、受信信号の受信状況に基づいて、チューナ１０１に内蔵されるアナログフィルタ２０３ａ、２０３ｂのカットオフ周波数を可変制御するフィルタ制御部１１５を有して成る。【選択図】図１
2010118742.tif 000002
【特許請求の範囲】
【請求項１】
受信信号から所望の周波数成分を抽出するチューナと、前記チューナの出力信号に対して直交周波数分割多重方式による復調処理や等化処理を施す復調器と、を有して成る受信装置であって、
前記受信信号の受信状況に基づいて、前記チューナに内蔵されるアナログフィルタのカットオフ周波数を可変制御するフィルタ制御部を有して成ることを特徴とする受信装置。
【請求項２】
前記フィルタ制御部は、前記受信信号の受信状況に基づいて、妨害耐性と受信感度のいずれを優先すべきかを判断した上で、前記アナログフィルタの通過帯域を通常時よりも狭くするか、通常時の広さとするかを切り替えるように、前記アナログフィルタのカットオフ周波数を可変制御することを特徴とする請求項１に記載の受信装置。
【請求項３】
前記フィルタ制御部は、前記チューナに内蔵される高周波アンプのゲイン制御信号、若しくは、前記受信信号の強度を示す受信信号強度検出信号をモニタし、その信号値と所定のスレショルド値との比較結果に基づいて、妨害波が大きいと判定した場合には、前記アナログフィルタの通過帯域を通常時よりも狭くし、妨害波が大きくないと判定した場合には、前記アナログフィルタの通過帯域を通常時の広さとするように、前記アナログフィルタのカットオフ周波数を可変制御することを特徴とする請求項２に記載の受信装置。
【請求項４】
前記フィルタ制御部は、前記チューナに内蔵される高周波アンプのゲイン制御信号と中間周波数アンプのゲイン制御信号の総和をモニタし、その信号値と所定のスレショルド値との比較結果に基づいて、所望波が小さいと判定した場合には、妨害波の大小に依ることなく、前記アナログフィルタの通過帯域を通常時の広さとし、所望波が小さくないと判定した場合には、妨害波の大小に応じて、前記アナログフィルタの通過帯域を通常時よりも狭くするか、通常時の広さとするかを切り替えるように、前記アナログフィルタのカットオフ周波数を可変制御することを特徴とする請求項３に記載の受信装置。
【請求項５】
前記フィルタ制御部は、前記アナログフィルタの通過帯域を現在値とは異なる試行値に切り替える試行を定期的に行い、その試行によって前記受信信号の変調誤差比または信号対雑音比、若しくは、ビット誤り率が改善した回数と所定のスレショルド値との比較結果に基づいて、信号品質の改善が期待できると判定した場合には、前記アナログフィルタの通過帯域を現在値から試行値に切り替え、信号品質の改善が期待できないと判定した場合には、前記アナログフィルタの通過帯域を現在値に維持するように、前記アナログフィルタのカットオフ周波数を可変制御することを特徴とする請求項２に記載の受信装置。
【請求項６】
前記フィルタ制御部は、前記スレショルド値にヒステリシスを持たせていることを特徴とする請求項３〜請求項５のいずれかに記載の受信装置。
【請求項７】
前記フィルタ制御部は、前記復調器に内蔵されるコントローラ、若しくは、前記復調器に外部接続されるアプリケーションプロセッサからの指示を受けて、前記アナログフィルタのカットオフ周波数を可変制御することを特徴とする請求項１〜請求項６のいずれかに記載の受信装置。
【請求項８】
前記フィルタ制御部は、前記受信装置の現在位置情報を外部から取得し、現在位置と妨害波の強度との関係を記述したデータベースを参照しながら、前記アナログフィルタのカットオフ周波数を可変制御することを特徴とする請求項１〜請求項７のいずれかに記載の受信装置。
【請求項９】
請求項１〜８のいずれかに記載の受信装置に搭載される演算装置によって実行され、前記演算装置を前記フィルタ制御部として機能させることを特徴とするプログラム。
【請求項１０】
請求項９に記載のプログラムを格納し、前記演算装置によって読み取られる記録媒体。
【請求項１１】
受信信号から所望の周波数成分を抽出するチューナと、前記チューナの出力信号に対して直交周波数分割多重方式による復調処理や等化処理を施す復調器と、を有して成る受信装置を用いた受信方法であって、
前記受信信号の受信状況に基づいて、前記チューナに内蔵されるアナログフィルタのカットオフ周波数を可変制御するステップを有することを特徴とする受信方法。
【請求項１２】
前記受信信号の受信状況に基づいて、妨害耐性と受信感度のいずれを優先すべきかを判断した上で、前記アナログフィルタの通過帯域を通常時よりも狭くするか、通常時の広さとするかを切り替えるように、前記アナログフィルタのカットオフ周波数を可変制御するステップを有することを特徴とする請求項１１に記載の受信方法。
【請求項１３】
前記チューナに内蔵される高周波アンプのゲイン制御信号、若しくは、前記受信信号の強度を示す受信信号強度検出信号をモニタし、その信号値と所定のスレショルド値との比較結果に基づいて、妨害波が大きいと判定した場合には、前記アナログフィルタの通過帯域を通常時よりも狭くし、妨害波が大きくないと判定した場合には、前記アナログフィルタの通過帯域を通常時の広さとするように、前記アナログフィルタのカットオフ周波数を可変制御するステップを有することを特徴とする請求項１２に記載の受信方法。
【請求項１４】
前記チューナに内蔵される高周波アンプのゲイン制御信号と中間周波数アンプのゲイン制御信号との総和をモニタし、その信号値と所定のスレショルド値との比較結果に基づいて、所望波が小さいと判定した場合には、妨害波の大小に依ることなく、前記アナログフィルタの通過帯域を通常時の広さとし、所望波が小さくないと判定した場合には、妨害波の大小に応じて、前記アナログフィルタの通過帯域を通常時よりも狭くするか、通常時の広さとするかを切り替えるように、前記アナログフィルタのカットオフ周波数を可変制御するステップを有することを特徴とする請求項１３に記載の受信方法。
【請求項１５】
前記アナログフィルタの通過帯域を現在値とは異なる試行値に切り替える試行を定期的に行い、その試行によって前記受信信号の変調誤差比または信号対雑音比、若しくは、ビット誤り率が改善した回数と所定のスレショルド値との比較結果に基づいて、信号品質の改善が期待できると判定した場合には、前記アナログフィルタの通過帯域を現在値から試行値に切り替え、信号品質の改善が期待できないと判定した場合には、前記アナログフィルタの通過帯域を現在値に維持するように、前記アナログフィルタのカットオフ周波数を可変制御するステップを有することを特徴とする請求項１２に記載の受信方法。
【請求項１６】
前記スレショルド値にヒステリシスを持たせていることを特徴とする請求項１３〜請求項１５のいずれかに記載の受信方法。
【請求項１７】
前記復調器に内蔵されるコントローラ、若しくは、前記復調器に外部接続されるアプリケーションプロセッサからの指示を受けて、前記アナログフィルタのカットオフ周波数を可変制御するステップを有することを特徴とする請求項１１〜請求項１６のいずれかに記載の受信方法。
【請求項１８】
前記受信装置の現在位置情報を外部から取得し、現在位置と妨害波の強度との関係を記述したデータベースを参照しながら、前記アナログフィルタのカットオフ周波数を可変制御するステップを有することを特徴とする請求項１１〜請求項１７のいずれかに記載の受信方法。
【発明の詳細な説明】
【技術分野】
【０００１】
本発明は、直交分割多重方式（以下では、ＯＦＤＭ［Orthogonal Frequency Division Multiplexing］方式と呼ぶ）で放送・通信されるデジタル信号を受信する受信装置及び受信方法に関するものであり、特に、チューナに内蔵されるアナログフィルタの特性要求を緩和すると共に、妨害耐性の向上と受信感度の向上を両立する技術に関するものである。
【背景技術】
【０００２】
近年、デジタル放送・通信のインフラを用いてマルチメディア情報を受信するモバイル端末によるサービスが普及している。このようなサービスの実現に際しては、消費電力を抑えつつも最小受信感度並びに妨害耐性に優れる受信装置が必要である。また、モバイル端末での受信では、固定受信と比較して伝送路条件が変動し易いという特徴があることから、可能な限り伝送路等化性能を高める必要がある。例えば、ＯＦＤＭ方式は、周波数効率が良く、また、狭帯域のサブキャリアを複数配置していることから、シングルキャリア方式と比較してマルチパスフェージングフェージング環境においても十分な伝送路等化を行うことができ、結果としてモバイル端末においても安定した受信を行うことができる。
【０００３】
図４は、受信装置の一従来例を示すブロック図である。図４中の各構成要素に付した符号に関して、１００はアンテナ、１０１はチューナ、１０２はアナログ／デジタルコンバータ（ＡＤＣ［Analog to Digital Converter］）、１０３は高速フーリエ変換部（ＦＦＴ［Fast Fourier Transform］部）、１０４は等化処理部、１０５はデマッピング部、１０６はデインタリーブ及び前方誤り訂正部（ＦＥＣ［Forward Error Correction］部）、１１７は自動利得制御部（ＡＧＣ［Automatic Gain Control］部）である。
【０００４】
チューナ１０１は、国によって放送帯域が異なることを鑑み、複数の帯域に対応しているものが多い。例えば、ヨーロッパにおける移動体放送規格であるＤＶＢ−Ｈ［Digital Video Broadcasting - Handheld］では、５［ＭＨｚ］、６［ＭＨｚ］、７［ＭＨｚ］、８［ＭＨｚ］の各帯域に対応することが求められる。
【０００５】
そのため、一般的な受信装置では、受信開始時に１回のみ、アプリケーションプロセッサ１３０や復調器１２０に内蔵されたコントローラ（図４では不図示）を用いて、チューナ１０１に内蔵されたアナログフィルタ２０３ａ、２０３ｂ（一般に、ベースバンドフィルタ、若しくは、ＩＦ［Intermediate Frequency］フィルタと呼ばれるもの）の通過帯域を放送帯域に合わせて切り替えていた。このようなフィルタ出力帯域の切替制御により、所望波の波形を維持しつつ、隣接妨害波を抑制することができ、妨害耐性を高めることが可能となる。
【０００６】
また、一般的な受信装置では、ＡＧＣ１１７を用いてＬＮＡ［Low Noise Amplifier］２０１のゲインを制御することにより、ＡＤＣ１０２の入力信号が飽和してしまわないように、チューナ１０１の出力信号を適切なレベルに制御していた。
【０００７】
上述のように、従来のＯＦＤＭ方式によるデジタル放送受信装置では、チューナ１０１で適切な放送帯域に合わせてフィルタリングを施した信号が復調器１２０に出力される。そのため、基本的に、復調器１２０に内蔵された等化処理部１０４で行われる等化処理に対して、チューナ１０１でのフィルタリングが影響を及ぼすことはない。このように、従来手法では、常に妨害波の影響を最小限に抑えた信号がチューナ１０１から復調器１２０に出力されることが保障されている一方で、ＯＦＤＭ方式を用いたデジタル放送の特長である強力なフェージング耐性を妨害波除去に際して活用することができていなかった。
【０００８】
なお、特許文献１の従来技術は、デジタルオーディオ放送規格であるＤＡＢ［Digital Audio Broadcasting］方式に準拠したＤＡＢ受信機に関するものであり、ＡＤ変換後のデジタル受信信号にフィルタリングを施すデジタルフィルタの帯域幅を受信チャネルの検出状況に応じて可変する帯域可変制御手段を備えた復調回路が開示・提案されている。具体的には、上記のＤＡＢ受信機において、チャネルサーチ時と所望波チャネル受信時との間で、デジタルフィルタの帯域幅を可変的に制御し、高い妨害耐性を持つ受信機を簡易に実現するものである。この従来技術は、ＤＡＢ受信機において、妨害波がない状態、若しくは、隣接妨害比が低い状態でチャネルサーチをしたときの方が、隣接妨害比が高い状態でチャネルサーチをしたときよりも、高い隣接妨害比を有する受信機が実現できる、というＤＡＢ方式の特徴を活用したものである。
【特許文献１】特開２００５−１０９９３６号公報
【発明の開示】
【発明が解決しようとする課題】
【０００９】
しかし、特許文献１の従来技術では、デジタルフィルタの帯域幅のみを可変制御していたため、チューナに内蔵されたアナログフィルタの特性要求を緩和することはできなかった。また、特許文献１の従来技術では、チャネルサーチ前後の妨害除去比のみに主眼が置かれており、伝送路状況に応じて適切なフィルタ特性を選択して、更なる妨害除去比の向上を図る点については、何ら示唆・言及されていなかった。
【００１０】
このように、特許文献１の従来技術では、伝送路状況に応じて簡易かつ確実に適切なフィルタ制御を行う受信装置を実現することはできなかった。
【００１１】
本発明は、上記の問題点に鑑み、より高い妨害耐性と受信感度の両立を実現する受信装置及び受信方法を提供することを主たる目的とする。
【課題を解決するための手段】
【００１２】
上記目的を達成するために、本発明に係る受信装置は、受信信号から所望の周波数成分を抽出するチューナと、前記チューナの出力信号に対して直交周波数分割多重方式による復調処理や等化処理を施す復調器と、を有して成る受信装置であって、前記受信信号の受信状況に基づいて、前記チューナに内蔵されるアナログフィルタのカットオフ周波数を可変制御するフィルタ制御部を有して成る構成（第１の構成）とされている。
【００１３】
なお、上記第１の構成から成る受信装置において、前記フィルタ制御部は、前記受信信号の受信状況に基づいて、妨害耐性と受信感度のいずれを優先すべきかを判断した上で、前記アナログフィルタの通過帯域を通常時よりも狭くするか、通常時の広さとするかを切り替えるように、前記アナログフィルタのカットオフ周波数を可変制御する構成（第２の構成）にするとよい。
【００１４】
また、上記第２の構成から成る受信装置において、前記フィルタ制御部は、前記チューナに内蔵される高周波アンプのゲイン制御信号、若しくは、前記受信信号の強度を示す受信信号強度検出信号をモニタし、その信号値と所定のスレショルド値との比較結果に基づいて、妨害波が大きいと判定した場合には、前記アナログフィルタの通過帯域を通常時よりも狭くし、妨害波が大きくないと判定した場合には、前記アナログフィルタの通過帯域を通常時の広さとするように、前記アナログフィルタのカットオフ周波数を可変制御する構成（第３の構成）にするとよい。
【００１５】
また、上記第３の構成から成る受信装置において、前記フィルタ制御部は、前記チューナに内蔵される高周波アンプのゲイン制御信号と中間周波数アンプのゲイン制御信号の総和をモニタし、その信号値と所定のスレショルド値との比較結果に基づいて、所望波が小さいと判定した場合には、妨害波の大小に依ることなく、前記アナログフィルタの通過帯域を通常時の広さとし、所望波が小さくないと判定した場合には、妨害波の大小に応じて前記アナログフィルタの通過帯域を通常時よりも狭くするか、通常時の広さとするかを切り替えるように、前記アナログフィルタのカットオフ周波数を可変制御する構成（第４の構成）にするとよい。
【００１６】
また、上記第２の構成から成る受信装置において、前記フィルタ制御部は、前記アナログフィルタの通過帯域を現在値とは異なる試行値に切り替える試行を定期的に行い、その試行によって前記受信信号の変調誤差比または信号対雑音比、若しくは、ビット誤り率が改善した回数と所定のスレショルド値との比較結果に基づいて、信号品質の改善が期待できると判定した場合には、前記アナログフィルタの通過帯域を現在値から試行値に切り替え、信号品質の改善が期待できないと判定した場合には、前記アナログフィルタの通過帯域を現在値に維持するように、前記アナログフィルタのカットオフ周波数を可変制御する構成（第５の構成）にするとよい。
【００１７】
また、上記第３〜第５いずれかの構成から成る受信装置において、前記フィルタ制御部は、前記スレショルド値にヒステリシスを持たせた構成（第６の構成）にするとよい。
【００１８】
また、上記第１〜第６いずれかの構成から成る受信装置において、前記フィルタ制御部は、前記復調器に内蔵されるコントローラ、若しくは、前記復調器に外部接続されるアプリケーションプロセッサからの指示を受けて、前記アナログフィルタのカットオフ周波数を可変制御する構成（第７の構成）にするとよい。
【００１９】
また、上記第１〜第７いずれかの構成から成る受信装置において、前記フィルタ制御部は、前記受信装置の現在位置情報を外部から取得し、現在位置と妨害波の強度との関係を記述したデータベースを参照しながら、前記アナログフィルタのカットオフ周波数を可変制御する構成（第８の構成）にするとよい。
【００２０】
また、本発明に係るプログラムは、上記第１〜第８いずれかの構成から成る受信装置に搭載される演算装置によって実行され、前記演算装置を前記フィルタ制御部として機能させる構成（第９の構成）とされている。
【００２１】
また、本発明に係る記録媒体は、上記第９の構成から成るプログラムを格納し、前記演算装置によって読み取られる構成（第１０の構成）とされている。
【００２２】
また、上記の目的を達成すべく、本発明に係る受信方法は、受信信号から所望の周波数成分を抽出するチューナと、前記チューナの出力信号に対して直交周波数分割多重方式による復調処理や等化処理を施す復調器と、を有して成る受信装置を用いた受信方法であって、前記受信信号の受信状況に基づいて、前記チューナに内蔵されるアナログフィルタのカットオフ周波数を可変制御するステップを有する構成（第１１の構成）とされている。
【００２３】
なお、上記第１１の構成から成る受信方法は、前記受信信号の受信状況に基づいて、妨害耐性と受信感度のいずれを優先すべきかを判断した上で、前記アナログフィルタの通過帯域を通常時よりも狭くするか、通常時の広さとするかを切り替えるように、前記アナログフィルタのカットオフ周波数を可変制御するステップを有する構成（第１２の構成）にするとよい。
【００２４】
また、上記第１２の構成から成る受信方法は、前記チューナに内蔵される高周波アンプのゲイン制御信号、若しくは、前記受信信号の強度を示す受信信号強度検出信号をモニタし、その信号値と所定のスレショルド値との比較結果に基づいて、妨害波が大きいと判定した場合には、前記アナログフィルタの通過帯域を通常時よりも狭くし、妨害波が大きくないと判定した場合には、前記アナログフィルタの通過帯域を通常時の広さとするように前記アナログフィルタのカットオフ周波数を可変制御するステップを有する構成（第１３の構成）にするとよい。
【００２５】
また、上記第１３の構成から成る受信方法は、前記チューナに内蔵される高周波アンプのゲイン制御信号と中間周波数アンプのゲイン制御信号の総和をモニタし、その信号値と所定のスレショルド値との比較結果に基づいて、所望波が小さいと判定した場合には、妨害波の大小に依ることなく、前記アナログフィルタの通過帯域を通常時の広さとし、所望波が小さくないと判定した場合には、妨害波の大小に応じて、前記アナログフィルタの通過帯域を通常時よりも狭くするか、通常時の広さとするかを切り替えるように、前記アナログフィルタのカットオフ周波数を可変制御するステップを有する構成（第１４の構成）にするとよい。
【００２６】
また、上記第１２の構成から成る受信方法は、前記アナログフィルタの通過帯域を現在値とは異なる試行値に切り替える試行を定期的に行い、その試行によって前記受信信号の変調誤差比または信号対雑音比、若しくは、ビット誤り率が改善した回数と所定のスレショルド値との比較結果に基づいて、信号品質の改善が期待できると判定した場合には、前記アナログフィルタの通過帯域を現在値から試行値に切り替え、信号品質の改善が期待できないと判定した場合には、前記アナログフィルタの通過帯域を現在値に維持するように前記アナログフィルタのカットオフ周波数を可変制御するステップを有する構成（第１５の構成）にするとよい。
【００２７】
また、上記第１３〜第１５いずれかの構成から成る受信方法は、前記スレショルド値にヒステリシスを持たせている構成（第１６の構成）にするとよい。
【００２８】
また、上記第１１〜第１６いずれかの構成から成る受信方法は、前記復調器に内蔵されるコントローラ、若しくは、前記復調器に外部接続されるアプリケーションプロセッサからの指示を受けて、前記アナログフィルタのカットオフ周波数を可変制御するステップを有する構成（第１７の構成）にするとよい。
【００２９】
また、上記第１１〜第１７いずれかの構成から成る受信方法は、前記受信装置の現在位置情報を外部から取得し、現在位置と妨害波の強度との関係を記述したデータベースを参照しながら、前記アナログフィルタのカットオフ周波数を可変制御するステップを有する構成（第１８の構成）にするとよい。
【発明の効果】
【００３０】
本発明によれば、伝送路状態に合わせてチューナに内蔵されるアナログフィルタのカットオフ周波数を制御することにより、妨害耐性を向上させると同時に、受信感度やマルチパスフェーディング特性にも優れる受信装置及び受信方法を提供することが可能となる。
【発明を実施するための最良の形態】
【００３１】
図１は、本発明に係る受信装置の一実施形態を示すブロック図である。図１に示すように、本実施形態の受信装置は、アンテナ１００と、チューナ１０１と、復調器１２０と、アプリケーションプロセッサ１３０と、デコーダ１４０と、を有して成る。
【００３２】
チューナ１０１は、アンテナ１００から入力される受信信号（デジタル放送信号）から所望の周波数成分を抽出する手段であり、ＬＮＡ［Low Noise Amplifier］２０１と、ミキサ２０２ａ、２０２ｂと、アナログフィルタ２０３ａ、２０３ｂ（一般に、ベースバンドフィルタ、若しくは、ＩＦ［Intermediate Frequency］フィルタと呼ばれるもの）と、ベースバンドＰＧＡ［Programmable Gain Amplifier］２０４ａ、２０４ｂと、局部発振器２０５と、π／２位相シフタ２０６と、を有して成る。
【００３３】
復調器１２０は、チューナ１０１の出力信号に対してＯＦＤＭ方式による復調処理や等化処理を施す手段であり、アナログ／デジタルコンバータ１０２（以下、ＡＤＣ［Analog to Digital Converter］１０２と呼ぶ）と、高速フーリエ変換部１０３（以下、ＦＦＴ［Fast Fourier Transform］部１０３と呼ぶ）と、等化処理部１０４と、デマッピング部１０５と、デインタリーブ及び前方誤り訂正部１０６（以下、デインタリーブ及びＦＥＣ［Forward Error Correction］部１０６と呼ぶ）と、ビット誤り率測定部１１１（以下、ＢＥＲ［Bit Error Rate］測定部１１１と呼ぶ）と、変調誤差比測定部１１２（以下、ＭＥＲ［Modulation Error Rate］測定部１１２と呼ぶ）と、信号品質監視部１１３と、自動利得制御部１１４（以下、ＡＧＣ［Automatic Gain Control］部１１４と呼ぶ）と、フィルタ制御部１１５と、を有して成る。
【００３４】
アプリケーションプロセッサ１３０は、復調器１２０との間で通信を行う。また、必要に応じて、ＭＰＥＧ２−ＴＳやＨ．２６４等のデマルチプレックスやデコードをデコーダ１４０で実施してもよい。
【００３５】
なお、信号品質監視部１１３やフィルタ制御部１１５の制御動作を実行する実体は、専用のハードワイヤードロジックで構成してもよいし、復調器１２０に内蔵されたマイクロコントローラ（図１では不図示）などで構成しても構わない。信号品質監視部１１３及びフィルタ制御部１１５は、それぞれ複数の回路部品から構成されている。下記において、特に断りがない限り、上記複数の回路部品は、それぞれ独立した機能を果たすように特化された回路素子の集合であってもよいし、汎用のプロセッサ（演算装置）等のハードウェアと、下記の各機能を果たすように前記ハードウェアを機能させるプログラムと、から成るものでもよい。後者の場合には、ハードウェア及びプログラムが組み合わされることによって、回路部品が構築される。言い換えれば、上記したフィルタ制御用プログラムをプロセッサによって実行することにより、当該プロセッサが信号品質管理部１１３やフィルタ制御部１１５として機能することになる。
【００３６】
なお、上記したフィルタ制御用プログラムは、ＣＤ−ＲＯＭ［Compact Disc Read Only Memory］ディスク、フレキシブルディスク（ＦＤ）、ＭＯ［Magneto-Optical］ディスクなどのリムーバブル型記録媒体や、ハードディスクなどの固定型記録媒体、或いは、フラッシュメモリなどの半導体型記録媒体など、コンピュータによって読み取り可能な記録媒体に格納して配布することが可能であるほか、有線または無線の電気通信手段により、インターネットなどの通信ネットワークを介して配布することが可能である。
【００３７】
上記構成から成る受信装置において、アンテナ１００から入力された信号は、チューナ１０１で一定の信号レベルを持つＩＦ［Intermediate Frequency］信号に変換された後、復調器１２０のＡＤＣ１０２に入力される。
【００３８】
チューナ１０１での上記処理について詳細に説明する。ＬＮＡ２０１は、アンテナ１００からの入力信号を増幅してミキサ２０２ａ、２０２ｂに出力する。ミキサ２０２ａ、２０２ｂは、ＬＮＡ２０１から入力される増幅信号と、局部発振器２０５から直接ないしはπ／２位相シフタ２０６を介して入力される局部発振信号と、を乗算して周波数変換を行うことにより、互いの位相がπ／２だけずれたＩ信号とＱ信号を生成する。アナログフィルタ２０３ａ、２０３ｂは、ミキサ２０２ａ、２０２ｂから入力されるＩ信号及びＱ信号に対して、基本的に放送帯域を通過帯域としたフィルタリングを施し、隣接妨害波を除去する。ベースバンドＰＧＡ２０４ａ、２０４ｂは、アナログフィルタ２０３ａ、２０３ｂの出力信号を増幅して復調器１２０のＡＤＣ１０２に出力する。
【００３９】
なお、アナログフィルタ２０３ａ、２０３ｂは、チェビシェフフィルタ等のローパスフィルタによって構成されることが一般的である。この際、フィルタの次数を高くすれば、それだけ急峻なカットオフを有するフィルタを実現できるが、その代償として面積と消費電力が増加する。また、アナログフィルタ２０３ａ、２０３ｂは、これに含まれるキャパシタを切り替えることにより、各々のカットオフ周波数を可変制御し、各々の通過帯域を変更することが可能な構成とされている。
【００４０】
また、ＬＮＡ２０１及びベースバンドＰＧＡ２０４ａ、２０４ｂは、ＡＤＣ１０２の入力信号が飽和することなく、かつ、復調器１２０における復調処理時の信号対雑音比（ＳＮＲ［Signal to Noise Ratio］）が最大となるように、ＡＧＣ１１４からのゲイン制御信号に基づいて、各々の利得が可変制御される構成とされている。
【００４１】
次に、復調器１２０での復調処理について詳細に説明する。ＡＤＣ１０２は、チューナ１０１から入力されるアナログ信号をデジタル信号に変換する。ＦＦＴ１０３は、ＡＤＣ１０２から入力されるデジタル信号のＯＦＤＭ復調を行う。等化処理部１０４は、サブキャリア間に配置されたＳＰ［Scattered Pilot］信号などを用いて、ＯＦＤＭ復調された信号の振幅並びに位相を補正する。デマップ部１０５は、等化処理部１０４で得られた補正済み信号をＩＱ平面上にデマップする。デインタリーブ及びＦＥＣ部１０６は、デマップ部１０５で得られた信号に対してデインタリーブ処理並びに前方誤り訂正処理を施す。この処理済み信号は、通常、ＭＰＥＧ２−ＴＳとしてアプリケーションプロセッサ１３０に渡され、デコーダ１４０によるデコード処理が施されて、映像の再生出力に供される。
【００４２】
ＢＥＲ測定部１１１は、デインタリーブ及びＦＥＣ部１０６（例えば、これに含まれるリードソロモン復号部）において誤りを修正したブロック数をカウントすることにより、ＢＥＲを計算する。なお、ＢＥＲとはビット誤り率と呼ばれるものであり、全受信ビットに占める誤りビットの比率を表したものである。
【００４３】
ＭＥＲ測定部１１２は、デマップ部１０５で得られるコンスタレーションからＭＥＲを計算する。なお、ＭＥＲとは変調誤差比と呼ばれるものであり、具体的には、デマップした複素信号点ベクトルが理想信号点に対してどれだけのベクトル誤差を持っているかを検出し、理想信号点ベクトルと誤差ベクトルを電力比で表したものである。換言すれば、ＭＥＲは、デマップ後のコンスタレーションから求めたＳＮＲであると言える。
【００４４】
信号品質監視部１１３は、ＢＥＲ測定部１１１で得られたＢＥＲ、及び、ＭＥＲ測定部１１２で得られたＭＥＲに基づいて、信号品質の状況を監視し、その結果をフィルタ制御部１１５に通知する。このような構成とすることにより、ＢＥＲやＭＥＲを受信信号品質の指標として用いて、アナログフィルタ２０３ａ、２０３ｂのフィルタ特性を制御することが可能となる。
【００４５】
フィルタ制御部１１５は、受信信号の受信状況（受信信号強度や受信信号品質）に基づいて、チューナ１０１に内蔵されるアナログフィルタ２０３ａ、２０３ｂのカットオフ周波数を可変制御する。詳述すると、フィルタ制御部１１５は、受信信号の受信状況に基づいて、妨害耐性と受信感度のいずれを優先すべきかを判断した上で、アナログフィルタ２０３ａ、２０３ｂの通過帯域を通常時よりも狭くするか、通常時の広さとするかを切り替えるように、アナログフィルタ２０３ａ、２０３ｂのカットオフ周波数を可変制御する。
【００４６】
なお、フィルタ制御部１１５は、復調器１２０に内蔵されるコントローラ（不図示）からの指示を受けて、若しくは、上記のコントローラをバイパスし、復調器１２０に外部接続されるアプリケーションプロセッサ１３０からの指示を受けて、フィルタ制御部１１５に格納されるレジスタ値の設定、或いは、プログラムの切替を行うことにより、アナログフィルタ２０３ａ、２０３ｂのカットオフ周波数を可変制御する。
【００４７】
以下では、本発明に関連するフィルタ制御の具体例について詳細な説明を行う。
【００４８】
背景技術の項でも述べたが、従来の受信装置では、ＯＦＤＭ方式を用いたデジタル放送の特長である強力なフェージング耐性を妨害波除去に際して活用することができていなかった。すなわち、従来の受信装置では、アナログフィルタ２０３ａ、２０３ｂの通過帯域を意図的に放送帯域よりも狭くした信号（図２を参照）を復調器１２０に入力しても、等化処理の誤差分に起因する感度劣化の程度によっては、受信可能な場合があるということを利用していなかった。この問題点に関して、図２を参照しながら詳細に説明する。
【００４９】
例えば、受信する放送の所望波帯域をすべて減衰させることなく出力するためには、カットオフ周波数がｆ１となるようにフィルタ特性を制御しなければならないと仮定する。このとき、カットオフ周波数がｆ２（＜ｆ１）となるようにフィルタ特性を制御すると、カットオフ周波数がｆ１となるようにフィルタ特性を制御した場合と比べて、図２中で斜線を付した三角形状の領域分だけ所望波が減衰してしまう。
【００５０】
ただし、図２に示した妨害除去比の差からも分かるように、カットオフ周波数がｆ２となるようにフィルタ特性を制御した場合には、カットオフ周波数がｆ１となるようにフィルタ特性を制御した場合と比べて、妨害波をより減衰することができる。従って、所望波の減衰分（斜線を付した三角形状の領域分）による影響が小さければ、妨害耐性を高めることが可能である。
【００５１】
なお、アナログ放送受信装置や、ＯＦＤＭ方式ではないシングルキャリアを用いたデジタル放送受信装置では、上記減衰が生じた信号を受信可能なレベルにまで適切に復調することは困難である。しかし、ＯＦＤＭ方式を用いたデジタル放送受信装置、例えば、ＩＳＤＢ−Ｔ［Integrated Services Digital Broadcasting-Terrestrial］やＤＶＢ−Ｈといった規格に準拠したデジタル放送受信装置では、サブキャリア間に配置されたＳＰ信号を用いて、周波数軸方向の等化処理を施すことにより、上記減衰が生じた信号であっても、十分に受信可能なレベルまで信号を回復することができる。
【００５２】
もちろん、所望波の減衰分（斜線を付した三角形状の領域分）を等化処理する際には、等化誤差の分だけ信号の受信感度が劣化してしまうが、その劣化の程度は、図３に示す程度であることが実測されている。なお、図３に示した実測値は、放送帯域の上限周波数が８［ＭＨｚ］であるのに対して、カットオフ周波数ｆ１、ｆ２を８［ＭＨｚ］、５［ＭＨｚ］に設定した場合の性能比較結果である。
【００５３】
図３に示した程度の感度劣化であれば、アナログフィルタ２０３ａ、２０３ｂで所望波を減衰させてしまったとしても、放送信号の受信動作を支障なく継続することが可能である上、妨害波を十分に減衰させることができるので、これに起因する感度劣化をより抑制することが可能となる。従って、特に妨害耐性が求められるときにのみ、本来の放送帯域よりも狭い帯域の信号を意図的にチューナ１０１から出力し、妨害波の抑制能力を高めるようにフィルタ特性を切り替えることで、妨害耐性を極大化することが可能となる。
【００５４】
また、上記したフィルタ特性の切替制御により、チューナ１０１に内蔵されたフィルタ２０３ａ、２０３ｂの特性要求を緩和することができるので、小型化・低消費電力化を実現することが可能となる。例えば、図２中のフィルタ特性Ｂで示すような次数の高いフィルタを用いることなく、図２中のフィルタ特性Ａに示すような次数の低いフィルタを用いても、同様の妨害耐性を持つ受信装置の提供が可能となる。
【００５５】
本発明は、上記の考察を踏まえた上で成されたものである。以下では、本発明に係る受信装置で実施されるフィルタ制御の作用効果に関して、概念的に説明する。例えば、放送帯域通りの通過帯域となるようにアナログフィルタ２０３ａ、２０３ｂのカットオフ周波数を制御した場合に、受信感度が−９７［ｄＢｍ］、妨害耐性の指標となる所望波対妨害波比（Ｄ／Ｕ［Desired/Undesired ratio］）が−３０［ｄＢ］となる受信装置があるとする。また、この受信装置において、放送帯域よりも狭い通過帯域となるようにアナログフィルタ２０３ａ、２０３ｂのカットオフ周波数を制御した場合には、受信感度が−９５［ｄＢｍ］、Ｄ／Ｕが−４５［ｄＢ］となるものとする。
【００５６】
このように、ＯＦＤＭ方式を用いたデジタル放送を受信する受信装置では、復調器１２０に等化処理部１０４が具備されていることから、アナログフィルタ２０３ａ、２０３ｂの通過帯域を狭くする度合いによっては、これに伴って生じるデメリット（受信感度の劣化）よりもメリット（妨害耐性の向上）の方が遥かに大きい場合がある。
【００５７】
しかしながら、上記の例からも分かる通り、放送帯域よりも狭い通過帯域となるようにアナログフィルタ２０３ａ、２０３ｂのカットオフ周波数を固定的に設定すると、２［ｄＢ］という僅かな度合いではあるが、常態的に受信感度の劣化が生じてしまう。この受信感度の劣化は、復調器１２０から見れば、エラーフリー受信に必要な所要ＳＮＲの劣化分と等価であるため、マルチパスフェーディング環境等においては、時として受信率の低下を招来する懸念がある。
【００５８】
そのため、実使用環境において受信率を上げるためには、妨害波レベルが大きいと判断されるとき以外、上記の例であれば、Ｄ／Ｕが−３０［ｄＢ］よりも厳しいと判断されるとき以外、アナログフィルタ２０３ａ、２０３ｂの通過帯域を狭くしないように、各々のカットオフ周波数を可変制御することが肝要である。このためには、以下で説明するフィルタ制御が有効である。
【００５９】
一般的に、妨害耐性が問題となるのは、アナログ放送タワー近辺での受信時のように、妨害波レベルが大きいときが主である。なぜなら、妨害波レベルが小さいが、同程度のＤ／Ｕであるときには、実使用環境上においてマルチパスフェーディングの影響の方が大きくなるためである。
【００６０】
従って、一番単純なフィルタ制御手法は、チューナ１０１の受信状況を示した指標として、チューナ１０１に内蔵される高周波アンプ（図１ではＬＮＡ２０１）のゲイン制御信号（以下、ＲＦＡＧＣ［Radio Frequency Automatic Gain Control］信号と呼ぶ）、若しくは、受信信号の強度を示す受信信号強度検出信号（以下、ＲＳＳＩ［Received Signal Strength Indicator］信号と呼ぶ）をモニタし、そのモニタ結果に基づいて、大きな妨害波が存在していることを判定したときにのみ、チューナ１０１に内蔵されるアナログフィルタ２０３ａ、２０３ｂの通過帯域を狭くするように、各々のカットオフ周波数を可変制御することが考えられる。
【００６１】
上記のフィルタ制御手法について詳細に説明する。フィルタ制御部１１５は、所定のインターバルで、ＡＧＣ部１１４から受信信号の信号強度に関する情報（チューナ１０１のゲイン制御に用いられるＲＦＡＧＣ信号、或いは、ＲＳＳＩ信号）を受け取り、その信号値と所定のスレショルド値とを比較することにより、大きな妨害波が存在しているか否かを推定する。そして、フィルタ制御部１１５は、妨害波が大きいと判定した場合には、アナログフィルタ２０３ａ、２３０ｂの通過帯域を通常時より狭くし、妨害波が大きくないと判定した場合には、アナログフィルタ２０３ａ、２０３ｂの通過帯域を通常時の広さとするように、アナログフィルタ２０３ａ、２０３ｂのカットオフ周波数を可変制御する。なお、上記のスレショルド値は、フィルタ制御部１１５内に予め格納しておけばよい。
【００６２】
フィルタ制御のタイミングとしては、ＲＦＡＧＣ信号またはＲＳＳＩ信号の信号値が所定のスレショルド値を超えた時点で、即座にカットオフ周波数を切り替えてもよいし、或いは、一定時間内で上記の比較判定を複数回行い、ＲＦＡＧＣ信号またはＲＳＳＩ信号の信号値が所定のスレショルド値を超えた回数が全体の過半数以上となったときに、初めてカットオフ周波数を切り替えてもよい。
【００６３】
また、アナログフィルタ２０３ａ、２０３ｂの通過帯域を狭くする際に参照されるスレショルド値と、同通過帯域を広くする際に参照されるスレショルド値と、を異なるものとして、上記のスレショルド値にヒステリシスを持たせても構わない。このような構成とすることにより、伝送路の状況が急激に変動している際に、使用するフィルタ特性が頻繁に切り替えられることを防止することができるので、安定した受信動作を実現することが可能となる。特に、チューナ１０１に内蔵されるアナログフィルタ２０３ａ、２０３ｂの通過帯域を通常時よりも狭く設定している場合には、マルチパスフェーディング環境等において、上記のフィルタ制御が逆に受信性能を劣化させてしまう懸念もあるが、例えば、アナログフィルタ２０３ａ、２０３ｂの通過帯域を狭くするよりも広くし易いように、上記のスレショルド値にヒステリシスを持たせておけば、妨害波以外の性能劣化要因（マルチパスフェーディングなど）に対処し易くなる。
【００６４】
アナログフィルタ２０３ａ、２０３ｂの通過帯域を放送帯域よりも狭くしつつ、感度劣化を最小限に抑えるフィルタ制御としては、次のような手法も考えられる。ＡＧＣ部１１４では、チューナ１０１のトータルゲインを自動制御するためのＡＧＣ情報として、先述のＲＳＳＩ信号やＲＦＡＧＣ信号のほかに、チューナ１０１に内蔵される中間周波数アンプ（図１の例では、ベースバンドＰＧＡ２０４ａ、２０４ｂ）のゲイン制御信号（以下、ＢＢＡＧＣ［BroadBand Automatic Gain Control］信号と呼ぶ）が生成されていることから、ＲＦＡＧＣ信号とＢＢＡＧＣ信号の総和（トータルゲイン値）とＲＳＳＩ信号に基づいて、チューナ１０１に対する所望波の入力信号強度を推測することができる。
【００６５】
そこで、フィルタ制御部１１５は、ＡＧＣ部１１４で推測された入力信号強度を受け取り、チューナ１０１に対する所望波の入力信号強度が小さく、より高い受信感度が必要であると判断した場合に、アナログフィルタ２０３ａ、２０３ｂの通過帯域を狭くしないように、アナログフィルタ２０３ａ、２０３ｂのカットオフ周波数を可変制御する。また、このとき、フィルタ制御部１１５は、受信信号の信号強度に関する信号強度情報（ＲＦＡＧＣ信号またはＲＳＳＩ信号）と所定のスレショルド値を比較し、その比較結果に基づいて、受信感度の劣化防止を優先すべきであると判断した場合に、アナログフィルタ２０３ａ、２０３ｂの通過帯域を狭くしないように、そのカットオフ周波数を可変制御する。
【００６６】
換言すると、フィルタ制御部１１５は、ＲＦＡＧＣ信号とＢＢＡＧＣ信号との総和（トータルゲイン値）をモニタし、その信号値と所定のスレショルド値との比較結果に基づいて、所望波の入力信号強度が小さいと判定した場合には、妨害波の大小に依ることなく、アナログフィルタ２０３ａ、２０３ｂの通過帯域を通常時の広さとし、所望波の入力信号強度が小さくないと判定した場合には、先述のように、妨害波の大小に応じて、アナログフィルタ２０３ａ、２０３ｂの通過帯域を通常時よりも狭くするか、通常時の広さとするかを切り替えるように、アナログフィルタ２０３ａ、２０３ｂのカットオフ周波数を可変制御する。このようなフィルタ制御を行うことにより、妨害波が大きくないと推定される場合だけでなく、所望波が小さいと推定される場合には、アナログフィルタ２０３ａ、２０３ｂの通過帯域を通常時よりも狭めることなく、これを遅滞なく放送帯域に合わせることができるので、受信感度の劣化を最小限に抑えることが可能となる。
【００６７】
なお、上記のトータルゲイン値と比較参照されるスレショルド値は、フィルタ制御部１１５内に予め格納しておけばよく、先述と同様にヒステリシスを持たせてもよい。
【００６８】
また、上記の信号強度情報を用いるのではなく、信号品質情報を用いてフィルタ制御を行う手法も考えられる。この場合、フィルタ制御部１１５は、定期的にかつ短期間のみ、アナログフィルタ２０３ａ、２０３ｂの通過帯域を狭くする試行を行う。ＭＥＲ測定部１１２は、上記の試行時及び非試行時（通常動作時）に各々測定されるＭＥＲ（ないしはＳＮＲ）を信号品質情報として信号品質監視部１１３経由でフィルタ制御部１１５に出力する。フィルタ制御部１１５は、試行時のＭＥＲと非試行時（通常動作時）のＭＥＲとを比較し、ＭＥＲが改善された回数をカウントする。そして、フィルタ制御部１１５は、上記のカウント値（ＭＥＲが改善された回数）と所定のスレショルド値を比較し、前者が後者よりも大きく、信号品質の改善が期待できると判定した場合には、アナログフィルタ２０３ａ、２０３ｂの通過帯域を現在値から試行値に切り替え、試行時のフィルタ特性と非試行時（通常動作時）のフィルタ特性を反転するように、フィルタ制御を行う。逆に、前者が後者よりも小さく、信号品質の改善が期待できないと判定した場合には、アナログフィルタ２０３ａ、２０３ｂの通過帯域が現在値に維持される。
【００６９】
すなわち、上記の比較判定において、前者が後者よりも大きいと判定されたときには、以後、定期的にかつ短期間にのみ、アナログフィルタ２０３ａ、２０３ｂの通過帯域を広くする試行が行われ、非試行時（通常動作時）には、アナログフィルタ２０３ａ、２０３ｂの通過帯域を狭くするようにカットオフ周波数が設定される。このとき、フィルタ制御部１１５では、先述と同様、試行時のＭＥＲと非試行時（通常動作時）のＭＥＲとが比較され、ＭＥＲが改善された回数が所定のスレショルド値よりも大きいか否かの判定が行われる。そして、前者が後者よりも大きく、信号品質の改善が期待できると判定されたときには、アナログフィルタ２０３ａ、２３０ｂの通過帯域を現在値から試行値に切り替え、再び試行時のフィルタ特性と非試行時のフィルタ特性が反転される。逆に、前者が後者よりも小さく、信号品質の改善が期待できないと判定した場合には、アナログフィルタ２０３ａ、２０３ｂの通過帯域が現在値に維持される。その後も、受信動作が終了されるまで上記の試行動作が繰り返される。なお、ＭＥＲが改善された回数と比較参照されるスレショルド値は、フィルタ制御部１１５内に予め格納しておけばよく、先述と同様にヒステリシスを持たせてもよい。
【００７０】
また、上記の信号品質情報としては、ＭＥＲに代えてＢＥＲを用いても構わない。ただし、ＢＥＲの取得に要する時間は、ＭＥＲの取得に要する時間よりも長い。そのため、信号品質情報としてＢＥＲを用いる場合には、信号品質情報としてＭＥＲを用いる場合よりも、上記のスレショルド値を小さい値に設定することが望ましい。このような構成とすることにより、フィルタ特性の反転に要する試行回数が減るので、反射等による急な妨害波に起因して生じる信号品質の急変動にも十分に対応することが可能となる。
【００７１】
また、図１には描写されていないが、フィルタ制御部１１５は、アプリケーションプロセッサ１３０を用いて、携帯電話端末やカーナビゲーションシステム等に搭載されているＧＰＳ［Global Positioning System］受信部との通信を行うことで、受信装置の現在位置情報を取得し、現在位置と妨害波の強度との関係を記述したデータベースを参照しながら、アナログフィルタ２０３ａ、２０３ｂの通過帯域を狭くしたり広くしたりすように、カットオフ周波数を可変制御することも考えられる。例えば、受信装置の現在位置に応じて、先述のスレショルド値を調整することにより、より適切なフィルタ制御を行うことが可能となる。このような構成を採用するに際して、上記のデータベースは、図１に描写されていない記憶部（半導体メモリやハードディスクドライブ等の外部記憶装置）に格納しておいてもよいし、インターネット等のネットワークを介して外部から取得してもよい。
【００７２】
なお、上記実施形態では、ダイレクトコンバージョン型の受信装置に本発明を適用した構成を例に挙げて説明を行ったが、本発明の適用対象はこれに限定されるものではなく、他のアーキテクチャを採用した受信装置にも広く適用することが可能である。
【００７３】
また、上記実施形態では、放送信号を受信する受信装置に本発明を適用した構成を例に挙げて説明を行ったが、本発明の構成はこれに限定されるものではなく、通信信号を受信する受信装置にも広く適用することが可能である。
【００７４】
また、本発明の構成は、上記実施形態のほか、発明の主旨を逸脱しない範囲で種々の変更を加えることが可能である。
【産業上の利用可能性】
【００７５】
本発明は、ＯＦＤＭ方式によるデジタル放送・通信の受信装置及び受信方法に関して、チューナに内蔵されるアナログフィルタの特性要求を緩和するとともに、妨害耐性の向上と受信感度の向上を両立するために有用な技術である。
【図面の簡単な説明】
【００７６】
【図１】は、本発明に係る受信装置の一実施形態を示すブロック図である。
【図２】は、フィルタ制御例とその効果を示す図である。
【図３】は、フィルタ制御による影響を示す図である。
【図４】は、受信装置の一従来例を示すブロック図である。
【符号の説明】
【００７７】
１００    アンテナ
１０１    チューナ
１０２    アナログ／デジタルコンバータ（ＡＤＣ）
１０３    高速フーリエ変換部（ＦＦＴ部）
１０４    等化処理部
１０５    デマッピング部
１０６    デインタリーブ及び前方誤り訂正部（デインタリーブ及びＦＥＣ部）
１１１    ビット誤り率測定部（ＢＥＲ測定部）
１１２    変調誤差比測定部（ＭＥＲ測定部）
１１３    信号品質監視部
１１４    自動利得制御部（ＡＧＣ部）
１１５    フィルタ制御部
１２０    復調器
１３０    アプリケーションプロセッサ
１４０    デコーダ
２０１    ＬＮＡ
２０２ａ、２０２ｂ    ミキサ
２０３ａ、２０３ｂ    アナログフィルタ
２０４ａ、２０４ｂ    ベースバンドＰＧＡ
２０５    局部発振器
２０６    π／２位相シフタ
【図１】
2010118742.tif 000003
【図２】
2010118742.tif 000004
【図３】
2010118742.tif 000005
【図４】
2010118742.tif 000006